(57)【要約】【課題】  タインプレートの貫通孔の独立性を確保して強度を向上させ且つ成形性を高めて歩留まりを向上させながら使用環境温度の変動で脚部のハンダ付け部分にクラックが入ることを防げるタインプレート付電気コネクタを提供する。【解決手段】  絶縁ハウジング１１０と、一端が高さ方向に延びてプリント配線板３００の挿入孔３１０に入る脚部１２１となった複数のコンタクト１２０とを有する電気コネクタ１００と、端縁間距離が幅方向で最大となり、コンタクトの脚部が入った複数の貫通孔２１０を有するタインプレート２００とを備えたタインプレート付電気コネクタである。絶縁ハウジングの底面付近の奥行き方向奥側で幅方向に沿った複数の箇所に、奥行き方向の奥又は高さ方向の一方へ突き出てプリント配線板に係止されるボス１１４を設け、タインプレートには複数のボスに、幅方向への変形が拘束されるようにそれぞれ係止される複数の係止部２２０を設けた。【選択図】  図１
2005135879.tif 000002
【特許請求の範囲】
【請求項１】
互いに直交する奥行き方向、幅方向、及び高さ方向をとったときに、高さ方向の一方の端面が高さ方向に向いたプリント配線板に対向する底面に形成された絶縁ハウジングと、絶縁ハウジングに設けられ、一端が絶縁ハウジングの奥行き方向の奥側で高さ方向に延びてプリント配線板の高さ方向に貫通する挿入孔に挿入される脚部となり、この脚部よりも他端側に相手側コネクタのコンタクトに接触する接触部が設けられた複数のコンタクトとを有する電気コネクタと、
高さ方向に向き、高さ方向にみて端縁間の距離が幅方向で最大となり、高さ方向に貫通してコンタクトの脚部が挿入された複数の貫通孔が設けられたタインプレートとを備え、
絶縁ハウジングの底面付近の奥行き方向の奥側で幅方向に沿った複数の箇所に、奥行き方向の奥又は高さ方向の一方へ突き出てプリント配線板に係止されるボスが設けられ、
タインプレートには複数のボスに、幅方向への変形が拘束されるようにそれぞれ係止される複数の係止部が設けられているタインプレート付電気コネクタ。
【請求項２】
ボスが、ボルト止め、ピン止め及びハンダ付けのうち少なくとも一つの手段によりプリント配線板に係止するように構成されている請求項１のタインプレート付電気コネクタ。
【請求項３】
タインプレートの係止部は、タインプレートの奥行き方向手前の端縁から奥行き方向手前に突出し、絶縁ハウジングのボスにボスの幅方向の内側、外側又は両側から当接するように設けられている請求項１又は請求項２のタインプレート付電気コネクタ。
【発明の詳細な説明】
【技術分野】
【０００１】
本発明は、コンタクトの脚部を整列させるタインプレートを備えた電気コネクタの技術分野に属する。
【背景技術】
【０００２】
特許文献１は、基板のスルーホールに挿入されるタイン部及び互いに嵌合する相手コネクタのコンタクトに接触する接触部をそれぞれが有する複数のコンタクトと、この複数のコンタクトが配列されたハウジングとを備えた電気コネクタにおける、上記複数のコンタクトそれぞれの上記タイン部が貫通する複数の貫通孔が形成され、この複数の貫通孔それぞれに上記タイン部を貫通させることによりタイン部を整列させる整列位置に配置されたタインプレートにおいて、上記複数の貫通孔のうち、少なくとも２つ以上の貫通孔をつなぐスロットが形成されてなることを特徴とするタインプレートを開示している。
【０００３】
特許文献２は、基板取付型コネクタを開示し、このコネクタは、タインプレートを備えている。このタインプレートは、コンタクトの数に対応した３列の貫通孔を有する。これらの貫通孔の列のうちハウジングに最も近い列の貫通孔のいくつかはスロットにより互いに連通する。これにより、基板及びタインプレートに熱膨張率の差がある場合であっても、脚部の半田付部に生ずる応力が緩和され、半田クラックが生じない（同文献の段落番号００１２を参照）。
【０００４】
このようなタインプレートを電気コネクタに装着すると、ほぼ平行に延びる複数のコンタクトの脚部がタインプレートによって綺麗に整列するので、これらの脚部をプリント配線板の挿入孔に差込んで電気コネクタをプリント配線板に取り付けるときに、取り付け作業性を向上させることができる。また、タインプレートによってコンタクトの脚部を覆い、これを保護することができる。
【０００５】
タインプレートとプリント配線板とで熱膨張率の相違等によって熱膨張量に差が出ると、使用環境温度の変動によりタインプレートとプリント配線板にハンダ付けされているコンタクトの脚部とが干渉し、脚部のハンダ付け部分にクラックが入るという不具合が発生する。上記特許文献１及び特許文献２の発明は、タインプレートに貫通孔をつなぐスロットを設けることで、この不具合を未然に防いでいる。
【特許文献１】特開平９−３５８２９号公報
【特許文献２】特開平１０−１５４５３７号公報
【発明の開示】
【発明が解決しようとする課題】
【０００６】
ところが、このようにタインプレートに貫通孔をつなぐスロットを設けると、タインプレートに貫通孔及びスロットによってスリットが形成されるので、タインプレートの強度が落ちる。また、タインプレートを射出成形等で成形する場合、スロットを形成するための型又はピン等によって溶融材料の流れが阻害されるので、タインプレートの歩留まりが低下するという問題もある。
【０００７】
本発明は、このような点に着目してなされたもので、その目的とするところは、電気コネクタの絶縁ハウジングをプリント配線板に係止し、この絶縁ハウジングにタインプレートを係止してタインプレートの長手方向の変形をプリント配線板の変形に近づくように拘束し、これによってタインプレートの貫通孔の独立性を確保してタインプレートの強度を向上させ且つタインプレートの成形性を高めて歩留まりを向上させながら、使用環境温度の変動によりタインプレートとコンタクトの脚部とが干渉して脚部のハンダ付け部分にクラックが入る不具合を確実に防止することができるタインプレート付電気コネクタを提供することにある。
【課題を解決するための手段】
【０００８】
上記目的を達成するため、請求項１のタインプレート付電気コネクタは、互いに直交する奥行き方向、幅方向、及び高さ方向をとったときに、高さ方向の一方の端面が高さ方向に向いたプリント配線板に対向する底面に形成された絶縁ハウジングと、絶縁ハウジングに設けられ、一端が絶縁ハウジングの奥行き方向の奥側で高さ方向に延びてプリント配線板の高さ方向に貫通する挿入孔に挿入される脚部となり、この脚部よりも他端側に相手側コネクタのコンタクトに接触する接触部が設けられた複数のコンタクトとを有する電気コネクタと、高さ方向に向き、高さ方向にみて端縁間の距離が幅方向で最大となり、高さ方向に貫通してコンタクトの脚部が挿入された複数の貫通孔が設けられたタインプレートとを備え、絶縁ハウジングの底面付近の奥行き方向の奥側で幅方向に沿った複数の箇所に、奥行き方向の奥又は高さ方向の一方へ突き出てプリント配線板に係止されるボスが設けられ、タインプレートには複数のボスに、幅方向への変形が拘束されるようにそれぞれ係止される複数の係止部が設けられている。
【０００９】
タインプレートにより、ほぼ平行に延びる複数のコンタクトの脚部が綺麗に整列するので、これらの脚部をプリント配線板の挿入孔に差込んで電気コネクタをプリント配線板に取り付けるときに、取り付け作業性を向上させることができる。また、タインプレートによってコンタクトの脚部を覆い、これを保護することができる。
【００１０】
タインプレートとプリント配線板とで熱膨張率の相違等によって熱膨張量に差が出た場合、絶縁ハウジングが複数のボスによりプリント配線板に係止され、この複数のボスにタインプレートが係止部において、幅方向への変形が拘束されるようにそれぞれ係止されるので、タインプレートの長手方向である幅方向の変形はプリント配線板の変形に近づくように拘束される。そのため、使用環境温度の変動があってもタインプレートとプリント配線板にハンダ付けされているコンタクトの脚部とが干渉することが抑制又は阻止され、脚部のハンダ付け部分にクラックが入るという不具合が防止される。その場合、従来例のようにタインプレートに貫通孔をつなぐスロットを設けることに較べると、貫通孔の独立性が確保されるので、タインプレートの強度が高くなり、また、タインプレートを射出成形等で成形する場合、溶融材料の流れが阻害されることがなく、タインプレートの歩留まりが向上する。
【００１１】
請求項２のタインプレート付電気コネクタは、請求項１のタインプレート付電気コネクタにおいて、ボスが、ボルト止め、ピン止め及びハンダ付けのうち少なくとも一つの手段によりプリント配線板に係止するように構成されている。
【００１２】
このようにすれば、絶縁ハウジングのボスが、ボルト、ピン及びハンダのうち少なくとも一つを介してプリント配線板に係止される。
【００１３】
請求項３のタインプレート付電気コネクタは、請求項１又は請求項２のタインプレート付電気コネクタにおいて、タインプレートの係止部は、タインプレートの奥行き方向手前の端縁から奥行き方向手前に突出し、絶縁ハウジングのボスにボスの幅方向の内側、外側又は両側から当接するように設けられている。
【００１４】
このようにすれば、タインプレートの係止部が絶縁ハウジングのボスにボスの幅方向の内側、外側又は両側から当接し、これによってタインプレートの幅方向への変形が、プリント配線板の変形に近づくように拘束される。
【発明の効果】
【００１５】
請求項１のタインプレート付電気コネクタは、電気コネクタの絶縁ハウジングをプリント配線板に係止し、この絶縁ハウジングにタインプレートを係止してタインプレートの長手方向の変形をプリント配線板の変形に近づくように拘束したので、タインプレートの貫通孔の独立性を確保してタインプレートの強度を向上させ且つタインプレートの成形性を高めて歩留まりを向上させながら、使用環境温度の変動によりタインプレートとコンタクトの脚部とが干渉して脚部のハンダ付け部分にクラックが入る不具合を確実に防止することができる。
【００１６】
請求項２のようにすれば、比較的簡単な工程により、絶縁ハウジングのボスをプリント配線板に係止することができる。
【００１７】
請求項３のようにすれば、比較的簡単な構造により、タインプレートの幅方向への変形が、プリント配線板の変形に近づくように拘束することができる。
【発明を実施するための最良の形態】
【００１８】
以下、本発明の実施の形態を説明する。図１ないし図４は本発明の第１の実施形態であるタインプレート付電気コネクタを示す。このタインプレート付電気コネクタは、電気コネクタ１００と、この電気コネクタ１００に装着されたタインプレート２００とを備えている。互いに直交する奥行き方向、幅方向、及び高さ方向を想定し、これらの方向付けを利用して説明する。この実施形態の場合、図２で説明すれば、図の左右方向が奥行き方向であり、図の左方が奥行き方向の奥、右方が奥行き方向の手前である。また、図の紙面に垂直な方向が幅方向であり、図の上下方向が高さ方向である。電気コネクタ１００は、絶縁性材料よりなる絶縁ハウジング１１０と、絶縁ハウジング１１０に設けられた導電性材料よりなる複数のコンタクト１２０とを備えている。絶縁ハウジング１１０は、高さ方向の一方の端面が、高さ方向に向いたプリント配線板３００に対向する底面１１１に形成されている。コンタクト１２０は、一端が絶縁ハウジング１１０の奥行き方向の奥側で高さ方向に延びてプリント配線板３００の高さ方向に貫通する挿入孔３１０に挿入される脚部１２１となり、この脚部１２１よりも他端側に相手側コネクタ（図示省略）のコンタクトに接触する接触部１２２が設けられている。これらのコンタクト１２０は、脚部１２１がほぼ平行に延びるように絶縁ハウジング１１０に設けられている。コンタクト１２０の脚部１２１は、脚部１２１の延びる方向とほぼ直交する面をとったときに、この面に含まれる一つの方向に沿って比較的多い数が並んでおり、この方向がコンタクト脚部群の長手方向となっている。
【００１９】
この実施形態の場合、絶縁ハウジング１１０には奥行き方向の手前に向かって開口する収容室１１２が設けられ、この収容室１１２で相手側コネクタを受入れるようにしている。コンタクト１２０はＬ字形に曲がっており、一端が高さ方向に延びて脚部１２１になっており、この脚部１２１がプリント配線板３００の挿入孔３１０に挿入されるようになっている。そして、コンタクト１２０の他端が奥行き方向に延びて絶縁ハウジング１１０の収容室１１２の奥側に設けられた奥壁１１３にこれを貫通して固定されており、先端が収容室１１２の内部にあって接触部１２２になっている。コンタクト１２０の脚部１２１は奥行き方向に２列に並び、そして各列においては２６本の脚部１２１が幅方向に並んでいる。コンタクト１２０の接触部１２２は高さ方向に２列に並び、そして各列においては２６本の接触部１２２が幅方向に並んでいる。従って、この実施形態では幅方向がコンタクト脚部群の長手方向となる。このように電気コネクタ１００を詳細に説明したが、この実施形態によって本発明が対象とするタインプレート付電気コネクタのコンタクトの数、向き、配列等が限定されるものではないし、絶縁ハウジングの形状、向き等が限定されるものではない。
【００２０】
タインプレート２００は、絶縁性材料により形成されていると共に、高さ方向に向く板状に形成されており、高さ方向が厚さ方向となっている。図１及び図４に示すように、高さ方向にみて端縁間の距離が幅方向で最大となっており、これが長手方向となっている。すなわち、コンタクト脚部群の配列に応じてコンタクト脚部群の長手方向がタインプレート２００の長手方向となっている。タインプレート２００には、高さ方向に貫通してコンタクト１２０の脚部１２１が挿入された複数の貫通孔２１０が設けられている。
【００２１】
絶縁ハウジング１１０の底面付近の奥行き方向の奥側で幅方向に沿った複数の箇所には、奥行き方向の奥又は高さ方向の一方へ突き出てプリント配線板３００に係止されるボス１１４が設けられている。この実施形態の場合、ボス１１４は奥行き方向の奥への突き出ていると共に高さ方向の一方へも突き出ているが、本発明は、図５に示すようにボス１１４が奥行き方向の奥へのみ突き出た第２の実施形態、図６に示すように高さ方向の一方へのみ突き出た第３の実施形態を含む。この高さ方向の一方は底面１１１から離れる方向であり、プリント配線板３００に向かう方向である。タインプレート２００には、複数のボス１１４に、幅方向への変形が拘束されるようにそれぞれ係止される複数の係止部２２０が設けられている。
【００２２】
この実施形態の場合、ボス１１４が、ボルト止めによりプリント配線板３００に係止するように構成されている。すなわち、ボス１１４には高さ方向に貫通するボルト孔１１５が設けられ、このボルト孔１１５に高さ方向に挿通し又はねじ込んだボルト１１６がプリント配線板３００にねじ込まれている。プリント配線板３００の裏側へ突き出たボルト１１６にナットを螺着してもよい。本発明は、ボスが、ボルト止め、ピン止め及びハンダ付けのうち少なくとも一つの手段によりプリント配線板に係止するようにした実施形態を含む。一つの実施形態のなかでボルト止め、ピン止め及びハンダ付けのうち複数の手段を組み合わせてボスをプリント配線板に係止してもよい。
【００２３】
この実施形態の場合、タインプレート２００の係止部２２０は、タインプレート２００の奥行き方向手前の端縁から奥行き方向手前に突出し、絶縁ハウジング１１０のボス１１４にボス１１４の幅方向の内側、外側又は両側から当接するように設けられている。すなわち、図１及び図４に示すように、この実施形態の場合、幅方向の内寄りにある第１の係止部２２０は、タインプレート２００の奥行き方向手前の端縁からほぼタインプレート２００の厚さのままで奥行方向手前に２本が幅方向にほぼ平行になるよう突出しており、この２本の第１の係止部２２０が絶縁ハウジング１１０の内寄りのボス１１４にボス１１４の幅方向の両側から当接するように設けられている。また、幅方向の外寄りにある第２の係止部２２０は、タインプレート２００の奥行き方向手前の端縁からほぼタインプレート２００の厚さのままで奥行方向手前に突出しており、この係止部２２０が絶縁ハウジング１１０の外寄りのボス１１４にボス１１４の幅方向の内側から当接するように設けられている。このように幅方向の内寄りと外寄りとで係止の形態を振り分けるか否かは自由であり、この実施形態によって本発明のボスと係止部との係止の形態が限定されるものではない。本発明は、ボスにボスの幅方向の内側から当接する係止部を設けた実施形態、ボスにボスの幅方向の外側から当接する係止部を設けた実施形態、ボスにボスの幅方向の両側から当接する係止部を設けた実施形態、これらの係止部を組み合わせて設けた実施形態を含む。
【００２４】
従って、タインプレート２００により、ほぼ平行に延びる複数のコンタクト１２０の脚部１２１が綺麗に整列するので、これらの脚部１２１をプリント配線板３００の挿入孔３１０に差込んで電気コネクタ１００をプリント配線板３００に取り付けるときに、取り付け作業性を向上させることができる。また、タインプレート２００によってコンタクト１２０の脚部１２１を覆い、これを保護することができる。
【００２５】
タインプレート２００とプリント配線板３００とで熱膨張率の相違等によって熱膨張量に差が出た場合、絶縁ハウジング１１０が複数のボス１１４によりプリント配線板３００に係止され、この複数のボス１１４にタインプレート２００が係止部２２０において、幅方向への変形が拘束されるようにそれぞれ係止されるので、タインプレート２００の長手方向である幅方向の変形はプリント配線板３００の変形に近づくように拘束される。そのため、使用環境温度の変動があってもタインプレート２００とプリント配線板３００にハンダ付けされているコンタクト１２０の脚部１２１とが干渉することが抑制又は阻止され、脚部１２１のハンダ付け部分にクラックが入るという不具合が防止される。その場合、従来例のようにタインプレートに貫通孔をつなぐスロットを設けることに較べると、貫通孔２１０の独立性が確保されるので、タインプレート２００の強度が高くなり、また、タインプレート２００を射出成形等で成形する場合、溶融材料の流れが阻害されることがなく、タインプレート２００の歩留まりが向上する。
【００２６】
本発明は、ボスをプリント配線板に係止する手段を限定するものではないが、上記実施形態の場合、ボス１１４を、ボルト止め、ピン止め及びハンダ付けのうち少なくとも一つの手段によりプリント配線板３００に係止するように構成されている。このようにすれば、絶縁ハウジング１１０のボス１１４が、ボルト、ピン及びハンダのうち少なくとも一つを介してプリント配線板３００に係止される。その結果、比較的簡単な工程により、絶縁ハウジング１１０のボス１１４をプリント配線板３００に係止することができる。
【００２７】
本発明は、タインプレートの係止部の形態を限定するものではないが、上記実施形態の場合、タインプレート２００の係止部２２０は、タインプレート２００の奥行き方向手前の端縁から奥行き方向手前に突出し、絶縁ハウジング１１０のボス１１４にボス１１４の幅方向の内側、外側又は両側から当接するように設けられている。このようにすれば、タインプレート２００の係止部２２０が絶縁ハウジング１１０のボス１１４にボス１１４の幅方向の内側、外側又は両側から当接し、これによってタインプレート２００の幅方向への変形が、プリント配線板３００の変形に近づくように拘束される。その結果、比較的簡単な構造により、タインプレート２００の幅方向への変形が、プリント配線板３００の変形に近づくように拘束することができる。
【図面の簡単な説明】
【００２８】
【図１】第１の実施形態のタインプレート付電気コネクタを底面側からみた斜視図である。
【図２】第１の実施形態のタインプレート付電気コネクタをプリント配線板に実装し、コンタクトの中心を含む面で切断して示した一部断面図である。
【図３】第１の実施形態のタインプレート付電気コネクタをプリント配線板に実装し、ボスの中心を含む面で切断して示した一部断面図である。
【図４】第１の実施形態のタインプレート付電気コネクタを高さ方向を向く面で切断し、コンタクト、ボルトを省略して示した一部断面図である。
【図５】第２の実施形態のタインプレート付電気コネクタをプリント配線板に実装し、ボスの中心を含む面で切断して示した一部断面図である。
【図６】第３の実施形態のタインプレート付電気コネクタをプリント配線板に実装し、ボスの中心を含む面で切断して示した一部断面図である。
【符号の説明】
【００２９】
１００  電気コネクタ
１１０  絶縁ハウジング
１１１  底面
１１４  ボス
１２０  コンタクト
１２１  脚部
１２２  接触部
２００  タインプレート
２１０  貫通孔
２２０  係止部
３００  プリント配線板
３１０  挿入孔
【図１】
2005135879.tif 000003
【図２】
2005135879.tif 000004
【図３】
2005135879.tif 000005
【図４】
2005135879.tif 000006
【図５】
2005135879.tif 000007
【図６】
2005135879.tif 000008